(57)【要約】【課題】携帯情報端末には、会議等の予定時刻や設定された時間が経過したことを振動によって報知する構造を有したものが開発されているが、こういった振動モータは、使用する機器に対応した大きさがないと効果が出ず、取り付け場所によっては機器の大きさに影響を与えたり、外部にうまく振動が伝わらないという問題が生じることがある。そのため携帯情報端末を大型化せず、容易に振動モータを組み込めるようにすることが課題である。【解決手段】表示部が筐体と略同一大きさの携帯情報端末において表示部の所定の一辺で回路基板を延在させて形成した基板延在部と、筐体前面側のカバー、及び表示部の所定の一辺とによって囲まれた狭小域空間に振動モータを配し、機器の厚さを増すことなく、また、機器を大型化することなく、基板を介して振動モータによる振動を筐体から手に伝えられるようにした。【選択図】　　　図５
2004030475.tif 000002
【特許請求の範囲】
【請求項１】
筐体前面と略同一の大きさを有する表示部を備えた携帯情報端末において、
電子部品を搭載した回路基板を前記表示部の背面に配設すると共に、前記表示部の所定の一辺において前記回路基板を延在することにより形成した延在基板部を設け、前記筐体の前面側のカバーと、前記延在基板部と、前記表示部の前記所定の一辺とによって囲まれた狭小域空間に振動モータを配置したことを特徴とする携帯情報端末。
【請求項２】
前記振動モータを、前記前面側のカバーに立設した保持部と、前記延在基板部の面とで固定することにより、前記回路基板を介して筐体背面側に振動を伝えることを特徴とする請求項１に記載した携帯情報端末。
【請求項３】
前記表示部の前記所定の一辺に対向する辺の近傍に設けた支持枠と、前記表示部の前記所定の一辺に隣接する２辺それぞれに対応して前記前面側のカバーに立設することにより設けた２つの支持部とを備え、前記表示部が、前記支持枠と前記２つの支持部とによって位置決めされることを特徴とする請求項１または２に記載した携帯情報端末。
【発明の詳細な説明】
【０００１】
【発明の属する技術分野】
本発明は、手帳並みの大きさの個人向け携帯情報端末に関し、特に、予定時刻の到来を振動によって報知するための振動モータを備えた携帯情報端末に関するものである。
【０００２】
【従来の技術】
現在の個人向け携帯情報端末（ＰＤＡ：Ｐｅｒｓｏｎａｌ　Ｄｉｇｉｔａｌ　Ａｓｓｉｓｔａｎｔ）は、手帳並の大きさと重量でありながら、アドレス帳、スケジュール表、仕事関係のメモやファイルなど、種々のファイルの閲覧や作成の機能を持ち、さらにビデオや画像ファイルの閲覧機能、音楽プレイヤー機能、携帯電話などと連携させて電子メールやインターネット上のデータなどを閲覧する通信機能など、多くの機能を有するものが多くなっている。そしてこういった携帯情報端末は、常時胸ポケットやハンドバックなどに収容して持ち歩けるよう、小型化、薄型化が要望され、さらに外出先などである程度の時間使用できるよう、容量の大きな電池を搭載することが望まれている。
【０００３】
またこういった携帯情報端末には、会議等の予定時刻や設定された時間が経過したことを振動によって報知する機能を有したものが開発されている。すなわち振動により報知すると、略無音のために騒音とならず、また、街頭や工事現場等の騒音の大きい場所でも確実に予定時刻等を報知することができるからである。しかしながらこういった振動を起こさせるための振動モータは、携帯情報端末に対応したある程度の外形的大きさがないと効果が出ない。そのため、取り付け場所によっては機器の小型化に影響を与える場合があり、また、取り付け方法によっては外部にうまく振動が伝わらないという問題が生じることがある。
【０００４】
そのため例えば実開平４−１１２４８１号公報には、ペン型の液晶表示式電子機器において、バイブレータを液晶背後に二重に設けた基板の筐体側基板に取り付け、ポケットなどに機器が挿入されていても確実に振動が伝わるようにした構造が示されている。また特開平１０−１４８６９０号公報には、振動モータと液晶表示部を有するページャ（ポケットベル）や腕時計などにおいて、液晶セル保持枠に振動モータの上軸を保持させる機能を持たせ、狭小空間への振動モータの配置と部品点数の削減を計った装置が示されている。さらに特開平１０−３１９１４６号公報には、液晶表示部と振動モータを有する腕時計などにおいて、裏蓋に振動モータを固定部材で固定すると共に液晶を支えるハウジングに振動モータを収容する切り欠きを設け、振動モータを収容できるようにした構造が示されている。
【０００５】
【発明が解決しようとする課題】
しかしながらこれら従来技術に示された装置は、いずれもペン型の液晶表示式電子機器やページャ（ポケットベル）、液晶時計など、使われている液晶表示装置や回路基板、そして電池などが携帯情報端末に較べるとかなり小さい装置における振動モータの取り付け方法であり、そのため、例えば実開平４−１１２４８１号公報に示されたものは、液晶背後に二重に設けた基板の筐体側基板に振動モータを取り付けるという複雑な構造をしている。また特開平１０−１４８６９０号公報に示された装置も、液晶セル保持枠に振動モータの上軸を保持させる機能を持たせるという、複雑で組み立てが容易でない構造をしており、さらに特開平１０−３１９１４６号公報に示された装置も、液晶を支えるハウジングに振動モータを収容する切り欠きを設けると共に裏蓋に振動モータを固定部材で固定するという、部品点数が多く、複雑な組み立て手順を要する構造となっている。
【０００６】
上述の事情に鑑み本発明は、少ない部品点数で機器の厚みを増すことなく振動モータを簡単、かつ容易に組み込むことができ、機器ケース内でガタつき無く固定できるようにして、振動モータの振動をケースに確実に伝達できるようにした携帯情報端末を提供することが課題である。
【０００７】
【課題を解決するための手段】
そのため本発明においては、請求項１に記載したように、
筐体前面と略同一の大きさを有する表示部を備えた携帯情報端末において、
電子部品を搭載した回路基板を前記表示部の背面に配設すると共に、前記表示部の所定の一辺において前記回路基板を延在することにより形成した延在基板部を設け、前記筐体の前面側のカバーと、前記延在基板部と、前記表示部の前記所定の一辺とによって囲まれた狭小域空間に振動モータを配置したことを特徴とする。
【０００８】
このように表示部が筐体と略同一大きさの携帯情報端末においては、振動モータを表示部と重ねて配置するとそれだけ機器の厚さが厚くなるが、このように表示部の所定の一辺で回路基板を延在させて形成した基板延在部と、筐体前面側のカバー、及び表示部の所定の一辺とによって囲まれた狭小域空間に振動モータを配したことによって、機器の厚さが増すことなく、また、機器を大型化することなく効果的な位置に振動モータを配した携帯情報端末を提供することができる。
【０００９】
そして請求項２に記載した発明は、
前記振動モータを、前記前面側のカバーに立設した保持部と、前記延在基板部の面とで固定することにより、前記回路基板を介して筐体背面側に振動を伝えることを特徴とする。
【００１０】
このように振動モータを、前面側のカバーに立設した保持部と延在基板部の面とで固定することにより、振動モータの振動は確実に筐体と回路基板に伝達され、さらに回路基板から筐体背面の手持ち部に伝達されるから、携帯情報端末を保持した手や、収納したポケットなどから皮膚に確実に振動を伝えることができる。また、振動モータの組み立てに際しても、振動モータを単に筐体に立設した保持部に挿入し、回路基板と液晶表示部を組み込むことで延在基板部により固定されるから、部品点数が少なく、組み立ても容易におこなうことができて、コスト的に有利な携帯情報端末を提供することができる。
【００１１】
また請求項３に記載した発明は、
前記表示部の前記所定の一辺に対向する辺の近傍に設けた支持枠と、前記表示部の前記所定の一辺に隣接する２辺それぞれに対応して前記前面側のカバーに立設することにより設けた２つの支持部とを備え、前記表示部が、前記支持枠と前記２つの支持部とによって位置決めされることを特徴とする。
【００１２】
このように表示部を、表示部の所定の一辺と対向する辺に設けた支持枠と、この辺と隣接する２辺のそれぞれに対応して前面側のカバーに立設した支持部とによって位置決めすることにより、表示部が確実に保持されると共にそれによって前記狭小域空間に配した振動モータによる振動は表示部背面に配された回路基板に確実に伝わり、組み立てが容易で振動を確実に伝えられる携帯情報端末を提供することができる。
【００１３】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１４】
図１は本発明の一実施形態を示した携帯情報端末の概略斜視図、図２は同じく背面から見た斜視図、図３は本発明の一実施形態を示した携帯情報端末における各ユニットの組み立て図、図４は本発明の一実施形態の携帯情報端末における上カバーを背面から見た図、図５は本発明の一実施形態を示した携帯情報端末における液晶表示部と回路基板を合体して液晶表示部側から見た図、図６は振動モータの斜視図（Ａ）と底面から見た図（Ｂ）である。
【００１５】
図中１は本発明に係る携帯情報端末、２は液晶表示部、３は電源釦、４は選択指示結果を一つ前の状態に戻す復帰用釦、５は液晶表示部２に表示された項目または機能の選択釦、６はこれら各釦部分のプラスチック製のサイドカバー、７は選択釦５の誤動作防止用にサイドカバー上に設けたハウジング突起、８、９、１０、１１はそれぞれの操作釦の操作方向、１２はアルミなどで形成した上ケース、１３は同じくアルミなどで形成した下ケース、１４はプラスチック製の上カバー、１５は同じくプラスチック製の下カバー、１６はコンパクトフラッシュ（登録商標名）等のメモリーカード、カード型モデム等の通信端末、またはマイクロハードディスクなど、各種のカード型機器を収納する収納スロットの差込口、１７は操作用のスタイラスペンなどの差込口、１８は散状突起若しくは凹部、１９は回路基板、２０は電池、２１は振動モータであり、このうち上ケース１２、下ケース１３、上カバー１４、下カバー１５が携帯情報端末の筐体を構成する。図４における、４０、４１は振動モータ２１の保持部、４３、４４は液晶表示部２の固定用孔、４５、４６は液晶表示部２の支持部、図５において５０、５１は液晶表示部２の支持枠、５２、５３は液晶表示部２のサイド、５４は液晶表示部２の下辺、図６において６０は振動モータ本体、６１は振動モータの回転軸、６２は振動を起こさせるための錘、６３は振動モータを上カバー１４の保持部４０、４１に固定するための固定用突起である。
【００１６】
本発明に係る携帯情報端末１は、その一実施例の外観を図１に示したように、３．５から４インチ程度の筐体前面と略同一の大きさの液晶表示部２、内部に収納した液晶表示部２や回路基板１９、電池２０などを保護する上ケース１２、下ケース１３、下カバー１５、他の側面に対して隆起して携帯情報端末１を保持したとき、その隆起によって操作釦類を配置した側であることを認識させるサイドカバー６、また、図２に示したようにそのサイドカバー６とは逆側のサイドに散状突起、若しくは凹部を有した上カバー１４などで構成され、例えば左手で保持したとき、図２に示した上カバー１４の散状突起、若しくは凹部１８の存在と、図１に示した他の側面に対して隆起したサイドカバー６の存在とによってその表裏、上下を間違えることなく液晶表示部２を上にして保持することができる。また、保持したときに親指を操作釦類３、４、５の所に容易に位置させることができ、そのため、本発明に係る携帯情報端末１は、電話中などにハンドバックやポケットから取り出しても、表裏を間違えることなく、かつ、片手のみで内容の閲覧が可能である。
【００１７】
そして本発明の携帯情報端末１は、図３の組み立て図に示したように、液晶表示部２の背面に回路基板１９を配し、液晶表示部２側を、振動モータ２１を収容したプラスチック製の上カバー１４とアルミなどで形成した上ケース１２で構成される前面側のカバーで覆い、回路基板１９側を電池２０の電池収納部を有したプラスチック製の下カバー１５で覆うと共に、さらにアルミなどで形成した下ケース１３で覆って構成される。
【００１８】
このうち振動モータ２１は、図６（Ａ）の斜視図に示したように、モータ本体６０の回転軸６１に錘６２が付けられ、この図６（Ｂ）の振動モータ２１を底面から見た図のように、このモータ本体６０からわずかに突出して固定用突起６３が設けられている。そして上カバー１４には、図４に背面から見た図を示したように、振動モータ２１の固定用突起６３を受けて保持するための凹部を有する保持部４０、４１、及びこの上カバー１４に組み込まれる液晶表示部２と回路基板１９を合体したものを支持するため支持部４５と支持部４６が設けられ、振動モータ２１は、この振動モータ２１の保持部４０、４１に、図６（Ｂ）に示した底面が見える方向から差し込んで保持できるようになっている。
【００１９】
そして、この上カバー１４に組み込まれる液晶表示部２と回路基板１９を合体したものは、図５に示したように回路基板１９が液晶表示部２よりも大きく、液晶表示部２の上方には、回路基板１９と同じ高さとして筐体にビスで固定するための支持枠５０、５１が設けられ、液晶表示部２の下方の辺５４は、背面に設けられた回路基板１９が延在されている。このように構成されていることにより、液晶表示部２と上カバー１４と回路基板１９との間に狭小域空間が形成されるようになっている。そして図４に示すように液晶表示部２の支持枠５０、５１は、上カバー１４の上側の壁４２に設けられた孔４３、４４（図４）にビスなどを用いて固定され、また、液晶表示部２の右側のサイド５２は、図４における左側に設けられた支持部４５で支持され、左側のサイド５３は、図４における右側に設けられた支持部４６で支持される。
【００２０】
そのためこの振動モータ２１は、図４に示した上カバー１４に、図５に示した液晶表示部２と回路基板１９を合体したものが組み合わされたとき、回路基板１９が延在されてできた狭小域空間である図５に点線２１で示した位置に配されることになり、かつ、回路基板１９の所定の面がこの振動モータ２１に接して固定される。すなわち前記図３の組み立て図に示したように、この振動モータ２１は上カバー１４の下側右寄りに配され、図１からわかるとおり、その振動モータ２１をはさんだ左側に操作釦類が配されているから、振動モータ２１が起こした振動は、上カバー１４に伝えられると共に、回路基板１９を介して下カバー１５、下ケース１３にも伝えられ、例えば左手でこの携帯情報端末を保持したとき、これら下カバー１５、下ケース１３を通して振動が確実に手のひらに伝えられることになる。また、左手でこの携帯情報端末を保持した際には、左手の小指の付け根近傍にちょうど振動モータ２１が配置されている位置に近接するので、より確実に振動を手のひらで感じ取ることが可能となっている。
【００２１】
そして本発明に係る携帯情報端末は、前記したように電話中などにハンドバックやポケットから取り出しても、表裏を間違えることなく、かつ、片手のみで内容の閲覧が可能であるから、こういった片手操作中に会議等の予定時刻や設定された時間の経過が振動によって報知されても振動が確実に手に伝えられ、ユーザに確実に報知することができる。
【００２２】
なお以上の説明では、振動モータ２１の収納部を図３に示したように上カバー１４の下側右寄りに配するとしたが、左側の操作釦類が配された方に配しても良いことは自明である。
【００２３】
以上記載の如く、表示部が筐体と略同一大きさの携帯情報端末においては、振動モータを表示部と重ねて配置するとそれだけ機器の厚さが厚くなるが、このように表示部の所定の一辺で回路基板を延在させて形成した基板延在部と、筐体前面側のカバー、及び表示部の所定の一辺とによって囲まれた狭小域空間に振動モータを配したことによって、機器の厚さが増すことなく、また、機器を大型化することなく効果的な位置に振動モータを配した携帯情報端末を提供することができる。
【００２４】
そして振動モータを、前面側のカバーに立設した保持部と延在基板部の面とで固定することにより、振動モータの振動は確実に筐体と回路基板に伝達され、さらに回路基板から筐体背面の手持ち部に伝達されるから、携帯情報端末を保持した手や、収納したポケットなどから皮膚に確実に振動を伝えることができる。また、振動モータの組み立てに際しても、振動モータを単に筐体に立設した保持部に挿入し、回路基板と液晶表示部を組み込むことで延在基板部により固定されるから、部品点数が少なく、組み立ても容易におこなうことができて、コスト的に有利な携帯情報端末を提供することができる。
【００２５】
また、表示部を、表示部の所定の一辺に対向する辺の近傍に設けた支持枠と、この辺に隣接する２辺それぞれに対応して前面側のカバーに立設した２つの支持部とによって位置決めすることにより、表示部が確実に保持されると共にそれによって前記狭小域空間に配した振動モータによる振動は表示部背面に配された回路基板に確実に伝わり、組み立てが容易で振動を確実に伝えられる携帯情報端末を提供することができる。
【００２６】
【発明の効果】
以上記載の如く本発明によれば、少ない部品点数で機器の厚みを増すことなく振動モータを簡単、かつ、容易に、筐体内でガタつき無く組み込むことができ、また、振動モータによって起こされた振動は確実に筐体から手などに伝えられ、振動モータを有した携帯情報端末を薄型化して安価に提供することができる。
【図面の簡単な説明】
【図１】本発明の一実施形態を示した携帯情報端末の概略斜視図である。
【図２】本発明の一実施形態を示した携帯情報端末を背面から見た斜視図である。
【図３】本発明の一実施形態を示した携帯情報端末における各ユニットの組み立て図である。
【図４】本発明の一実施形態の携帯情報端末における上カバーを背面から見た図である。
【図５】本発明の一実施形態を示した携帯情報端末における液晶表示部と回路基板を合体して液晶表示部側から見た図である。
【図６】振動モータの斜視図（Ａ）と底面から見た図（Ｂ）である。
【符号の説明】
２　液晶表示部
１９　回路基板
２１　振動モータ
５０、５１　液晶表示部支持枠
５２、５３　液晶表示部のサイド
５４　液晶表示部の下辺
【図１】
2004030475.tif 000003
【図２】
2004030475.tif 000004
【図３】
2004030475.tif 000005
【図４】
2004030475.tif 000006
【図５】
2004030475.tif 000007
【図６】
2004030475.tif 000008